(57)【要約】【課題】オープン型の最終処分場における浸出水の処理の管理において浸出水の漏洩のリスクを軽減できる信頼性の高い浸出水管理システムを提供する。【解決手段】浸出水管理システムは、オープン型の最終処分場における浸出水の処理を管理するための浸出水管理システムであって、最終処分場の埋立地１における降水量を計測する雨量計８と、雨量計８の計測値に基づいて所定時間毎の降水量を算出する降水量算出部１４と、埋立地１から調整池３に導入される浸出水の流量を計測する浸出水流量計１１と、浸出水流量計１１の計測値に基づいて調整池３に導入される所定時間毎の浸出水の量を算出する浸出水量算出部１５と、降水量算出部１４及び浸出水量算出部１５による算出結果を算出時期に対応させて記憶する記憶部１９とを備える。【選択図】図２
2014091085.tif 000002
【特許請求の範囲】
【請求項１】
最終処分場の埋立地で生じた浸出水を一時的に貯留する調整池と、該調整池に貯留された浸出水を処理する浸出水処理部とを有する浸出水処理設備を備えたオープン型の最終処分場における浸出水の処理を管理するための浸出水管理システムであって、
最終処分場の埋立地における降水量を計測する雨量計と、
前記雨量計の計測値に基づいて所定時間毎の降水量又は該降水量を前記埋立地全体の面積について積算した値を算出する降水量算出部と、
最終処分場の埋立地から前記調整池に導入される浸出水の流量を計測する浸出水流量計と、
前記浸出水流量計の計測値に基づいて前記調整池に導入される所定時間毎の浸出水の量を算出する浸出水量算出部と、
前記降水量算出部及び浸出水量算出部による算出結果を算出時期に対応させて記憶し、降水量及び浸出水量の監視に供する記憶部とを備えることを特徴とする浸出水管理システム。
【請求項２】
前記降水量算出部による算出値と前記浸出水量算出部による算出値との関係に影響を与える前記埋立地の気温及び湿度を計測する温度計及び湿度計を備え、
前記記憶部は、前記温度計及び湿度計による計測値を計測時期に対応させて記憶し、温度及び湿度を考慮した前記降水量及び浸出水量の監視に供することを特徴とする請求項１に記載の浸出水管理システム。
【請求項３】
刻々変化する前記降水量算出部による算出結果、前記浸出水量算出部による算出結果、前記埋立地の気温、前記埋立地の温度、前記調整池の浸出水の貯留量若しくは水深、前記調整池から前記浸出水処理部への浸出水の所定時間毎の移送量、該浸出水処理部による所定時間毎の浸出水の処理量のうちのいずれか１つ以上を、最終処分場において表示し又はその表示画像をネットワークを介して提供するデータ表示部を備えることを特徴とする請求項１又は２に記載の浸出水管理システム。
【請求項４】
前記調整池への浸出水の導入、前記調整池から前記浸出水処理部への浸出水の移送、又は該浸出水処理部からの処理済みの浸出水の排出が行われているかどうかを、最終処分場において表示し又はその表示画像をネットワークを介して提供する状況表示部を備えることを特徴とする請求項１〜３のいずれか１項に記載の浸出水管理システム。
【請求項５】
最終処分場の埋立地で生じた浸出水を一時的に貯留する調整池と、該調整池に貯留された浸出水を処理する浸出水処理部とを有する浸出水処理設備を備えたオープン型の最終処分場における浸出水の処理を管理する浸出水管理方法であって、
最終処分場における降水量を計測する降水量計測工程と、
前記降水量計測工程による計測値に基づいて所定時間毎の降水量又は該降水量を前記埋立地全体の面積について積算した値を算出する降水量算出工程と、
最終処分場の埋立地から前記調整池に導入される浸出水の流量を計測する浸出水流量計測工程と、
前記浸出水流量計測工程による計測値に基づいて前記調整池に導入される所定時間毎の浸出水の量を算出する浸出水量算出工程と、
前記降水量算出工程及び浸出水量算出工程による算出結果を算出時期に対応させて記憶し、最終処分場における降水量及び浸出水量の監視に供する記憶工程とを備えることを特徴とする浸出水管理方法。
【発明の詳細な説明】
【技術分野】
【０００１】
本発明は、最終処分場からの浸出水を一時的に貯留する調整池と、該調整池に貯留された浸出水を処理する処理設備とを備えたオープン型の最終処分場における浸出水の処理を管理する浸出水管理システム及び浸出水管理方法に関する。
【背景技術】
【０００２】
一般に、屋根のないオープン型の最終処分場においては、降雨によって発生する浸出水の処理が問題となる。特に、廃棄物と接触した雨水による浸出水がそのまま周囲の環境に漏洩することがないように浸出水を処理する必要がある。
【０００３】
そこで、従来、廃棄物からの浸出水の処理に関する技術として、廃棄物の投棄穴の表面に設けた遮水性シートにより、浸出水が周囲の地盤に漏洩するのを防止することが知られている（例えば、特許文献１参照）。
【０００４】
特許文献１の技術においては、遮水性シートは、透水層を挟んで二重に設けられている。上側の遮水性シートが万一破損した場合でも、破損箇所から漏洩した浸出水は、透水層を経て、投棄穴底部のトラップで収集され、処理される。その際、収集された浸出水の量は、センサにより検出され、適切な対応のために供される。
【０００５】
また、最終処分場の浸出水の処理に関する技術として、浸出水処理施設や、遮水シートの破損による埋立エリア外への漏水を検知する漏水検知システム、浸出水処理施設による処理水等の水質を測定する水質測定装置等を備えた処理システムが知られている（例えば、特許文献２参照）。
【０００６】
この処理システムでは、水質等のデータの収集、日報、月報などの帳票の作成、漏水検知システムからの信号の取り込みとその報知表示などがパソコンで行われる。また、管理データはネットワークやインターネットにより公開される。
【先行技術文献】
【特許文献】
【０００７】
【特許文献１】特開平６−１２６２６５号公報
【特許文献２】特開２００１−１０４９０６号公報
【発明の概要】
【発明が解決しようとする課題】
【０００８】
しかしながら、上述の特許文献１の技術によれば、投棄穴から浸出水を流出させないことを前提としており、上側の遮水性シートの破損により漏洩した浸出水についてのみその量の測定や処理を行っている。したがって、この技術における浸出水の量の測定や処理は、大規模なオープン型の最終処分場における浸出水のように、雨水により大量に発生する浸出水の処理や管理に適していない。また、二重の遮水性シートの外部に浸出水が漏洩した場合には、それを検出することはできない。
【０００９】
一方、上述の特許文献２の技術によれば、漏水検知システムにより埋立エリア外への浸出水の漏洩を検知できる。しかし、この漏水検知システムは、遮水シートの破損による漏水箇所が生じた場合、遮水シートに電気的ショート箇所が発生することを利用して漏洩を検知するものである。このため、誤検知や漏洩量を正しく把握できない等の問題がある。また、遮水シートの破損以外の原因で漏水が生じた場合には、これを検知できないおそれもある。
【００１０】
また、近年の異常気象によるゲリラ的豪雨が各地で多発しているところ、オープン型の最終処分場では、局地的な天候に対応した信頼性の高い浸出水の処理が求められる。
【００１１】
本発明の目的は、かかる従来技術の課題に鑑み、オープン型の最終処分場における浸出水の処理の管理において浸出水の漏洩のリスクを軽減できる信頼性の高い浸出水管理システム及び浸出水管理方法を提供することにある。
【課題を解決するための手段】
【００１２】
第１発明の浸出水管理システムは、最終処分場の埋立地で生じた浸出水を一時的に貯留する調整池と、該調整池に貯留された浸出水を処理する浸出水処理部とを有する浸出水処理設備を備えたオープン型の最終処分場における浸出水の処理を管理するための浸出水管理システムであって、最終処分場の埋立地における降水量を計測する雨量計と、前記雨量計の計測値に基づいて所定時間毎の降水量又は該降水量を前記埋立地全体の面積について積算した値を算出する降水量算出部と、最終処分場の埋立地から前記調整池に導入される浸出水の流量を計測する浸出水流量計と、前記浸出水流量計の計測値に基づいて前記調整池に導入される所定時間毎の浸出水の量を算出する浸出水量算出部と、前記降水量算出部及び浸出水量算出部による算出結果を算出時期に対応させて記憶し、降水量及び浸出水量の監視に供する記憶部とを備えることを特徴とする。
【００１３】
第１発明によれば、記憶部における記憶内容に基づいて、最終処分場の埋立地における降水量の埋立地全体についての所定時間毎の積算値と、調整池に導入された所定時間毎の浸出水量を知ることができる。同時期の積算値Ａ及び浸出水量Ｂと浸出係数αとの間には、その時期に浸出水の漏洩がなかったとすれば、Ａα＝Ｂが成り立つ。
【００１４】
したがって、常に、適切な浸出係数αを用いてＡα＝Ｂが成り立つかどうか及びＡαとＢとの差を監視することにより、埋立地での浸出水の漏洩の有無を定量的に判断することができる。したがって、降水量算出部による算出結果及び浸出水量算出部による算出結果についてかかる監視を継続して行い、監視結果を埋立地の埋立て工法や異常時の対策等に反映することにより、浸出水の漏洩のリスクを軽減させることができる。
【００１５】
また、降水量算出部により算出される所定時間毎の算出値と、浸出水量算出部により算出される所定時間毎の浸出水量を、浸出水管理システムの長期運用にわたって記憶しておくことにより、当該最終処分場の埋立地に固有の正確な浸出係数を得ることができる。この浸出係数を用いることにより、浸出水の漏洩の有無についての定量的判断をより正確に行うことができる。したがって、浸出水の漏洩のリスクをさらに軽減した信頼性の高い浸出水管理を行うことができる。
【００１６】
また、記憶部に記憶されている所定時間毎の浸出水の量を積算することにより、浸出水処理設備の各部のメンテナンス時期や交換時期を正確に決定することができる。これにより、設備の信頼性を良好に維持し、さらに浸出水の漏洩リスクを軽減することができる。
【００１７】
第２発明の浸出水管理システムは、第１発明において、前記降水量算出部による算出値と前記浸出水量算出部による算出値との関係に影響を与える前記埋立地の気温及び湿度を計測する温度計及び湿度計を備え、前記記憶部は、前記温度計及び湿度計による計測値を計測時期に対応させて記憶し、温度及び湿度を考慮した前記降水量及び浸出水量の監視に供することを特徴とする。
【００１８】
降水量算出部による算出値と浸出水量算出部による算出値との関係を示す上述の浸出係数は、各時点での温度及び湿度に応じて変動する。この点、第２発明によれば、各時点での温度及び湿度を長期間の運用にわたって記憶し、この記憶内容を考慮することにより、温度及び湿度に応じたより正確な浸出係数を用いて浸出水の漏洩の有無を定量的に監視し、浸出水の漏洩のリスクを確実に軽減することができる。
【００１９】
第３発明の浸出水管理システムは、第１又は第２発明において、刻々変化する前記降水量算出部による算出結果、前記浸出水量算出部による算出結果、前記埋立地の気温、前記埋立地の温度、前記調整池の浸出水の貯留量若しくは水深、前記調整池から前記浸出水処理部への浸出水の所定時間毎の移送量、該浸出水処理部による所定時間毎の浸出水の処理量のうちのいずれか１つ以上を、最終処分場において表示し又はその表示画像をネットワークを介して提供するデータ表示部を備えることを特徴とする。
【００２０】
第３発明によれば、刻々変化する浸出水の発生量や、処理量を、リアルタイムで、また遠隔の地からでも容易に監視することができる。したがって、突発的な集中豪雨等により、浸出水処理設備等に異常が発生したような場合でも、直ちに必要な処置を講ずることができる。これにより、浸出水の漏洩のリスクをより確実に軽減することができる。
【００２１】
第４発明の浸出水管理システムは、第１〜第３のいずれかの発明において、前記調整池への浸出水の導入、前記調整池から前記浸出水処理部への浸出水の移送、又は該浸出水処理部からの処理済みの浸出水の排出が行われているかどうかを、最終処分場において表示し又はその表示画像をネットワークを介して提供する状況表示部を備えることを特徴とする。
【００２２】
第４発明によれば、調整池への浸出水の導入、調整池から浸出水処理設備への浸出水の移送、又は浸出水処理設からの処理済みの浸出水の排出が行われているか否かを、容易に監視することができる。したがって、これらの導入、移送、排出に関して浸出水処理設備の異常等により支障を来たした場合等において、直ちにこれを認識し、必要な処置を講ずることができる。これにより、浸出水の漏洩のリスクをさらに確実に軽減することができる。
【００２３】
第５発明の浸出水管理方法は、最終処分場の埋立地で生じた浸出水を一時的に貯留する調整池と、該調整池に貯留された浸出水を処理する浸出水処理部とを有する浸出水処理設備を備えたオープン型の最終処分場における浸出水の処理を管理する浸出水管理方法であって、最終処分場における降水量を計測する降水量計測工程と、前記降水量計測工程による計測値に基づいて所定時間毎の降水量又は該降水量を前記埋立地全体の面積について積算した値を算出する降水量算出工程と、最終処分場の埋立地から前記調整池に導入される浸出水の流量を計測する浸出水流量計測工程と、前記浸出水流量計測工程による計測値に基づいて前記調整池に導入される所定時間毎の浸出水の量を算出する浸出水量算出工程と、前記降水量算出工程及び浸出水量算出工程による算出結果を算出時期に対応させて記憶し、最終処分場における降水量及び浸出水量の監視に供する記憶工程とを備えることを特徴とする。
【００２４】
第５発明によれば、記憶工程で記憶した降水量算出工程及び浸出水量算出工程の算出結果の任意の時期のものについて、適切な浸出係数を適用することにより、浸出水の漏洩の有無を定量的に把握し、漏洩のリスクの軽減に役立てることができる。
【００２５】
また、長期にわたる記憶工程での記憶結果に基づき、当該最終処分場の埋立地に固有の正確な浸出係数を取得し、浸出水の漏洩の有無の定量的な把握をより高精度で行い、浸出水の漏洩のリスクのさらなる軽減を図ることができる。また、記憶工程による記憶結果に基づき、処理設備の各部の適切なメンテナンス時期や交換時期を容易に決定して設備の信頼性を維持し、浸出水の漏洩リスクを確実に軽減することができる。
【図面の簡単な説明】
【００２６】
【図１】本発明の一実施形態に係る浸出水管理システムにより管理される浸出水処理設備の構成を示すブロック図である。
【図２】図１の浸出水処理設備を管理するための浸出水管理システムの構成を示すブロック図である。
【図３】浸出水管理システムの浸出水管理部による処理を示すフローチャートである。
【発明を実施するための形態】
【００２７】
以下、図面を用いて本発明の実施形態を説明する。図１は、実施形態に係る浸出水管理システムにより管理される浸出水処理設備の構成を示すブロック図である。
【００２８】
図１に示すように、この浸出水処理設備は、最終処分場の埋立地１で生じた浸出水を集水する集水枡２と、集水枡２内の浸出水を一時的に貯留する調整池３と、調整池３から調整槽４を経て移送されてくる浸出水に対して環境への放流基準を満たす水質となるような所定の処理を施す浸出水処理部５と、浸出水処理部５からの処理済の浸出水である処理水を放流するために一時的に貯留する処理水槽６とを備える。
【００２９】
図２は、図１の浸出水処理設備を管理するための浸出水管理システムの構成を示すブロック図である。図２に示すように、この浸出水管理システムは、管理に必要な情報を収集するための各種計測手段と、各種計測手段の結果に基づき、浸出水の管理に必要な情報処理を行う浸出水管理部７とを備える。
【００３０】
各種計測手段として、最終処分場の埋立地１における降水量、気温及び湿度を計測する雨量計８、温度計９及び湿度計１０と、最終処分場の埋立地１から調整池３に導入される浸出水の流量を計測する浸出水流量計１１と、調整池３における浸出水の水深を計測する水深計１２と、浸出水処理部５から処理水槽６へ送られる処理水の流量を計測する処理水流量計１３とが設けられる。
【００３１】
浸出水管理部７は、雨量計８からの計測値に基づいて所定時間例えば１時間毎の降水量を算出する降水量算出部１４と、浸出水流量計１１の計測値に基づいて調整池３に導入される所定時間毎の浸出水の量を算出する浸出水量算出部１５と、水深計１２の計測値に基づいて調整池３における浸出水の貯留水量を所定時間毎に算出する貯留水量算出部１６と、浸出水処理部５への所定時間毎の浸出水の移送量を算出する浸出水移送量算出部１７と、処理水流量計１３の計測値に基づいて浸出水処理部５から排出される所定時間毎の処理水の量を算出する処理水量算出部１８とを備える。
【００３２】
また、浸出水管理部７は、降水量算出部１４、浸出水量算出部１５、貯留水量算出部１６、浸出水移送量算出部１７、及び処理水量算出部１８による算出結果を算出時期に対応させて記憶し、また、温度計９、湿度計１０及び水深計１２による計測値を計測時期に対応させて記憶する記憶部１９を備える。記憶部１９は、これらの記憶内容を、降水量及び浸出水量の監視に供することができる。なお、浸出水管理部７は、中央処理装置、メモリ、プログラム、各種インタフェース装置、必要な入力装置等により構成される。
【００３３】
具体的には、記憶部１９の記憶内容に基づき、いつでも、任意の時期の所定時間毎の降水量、浸出水量、浸出水の貯留水量をそのときの平均温度、平均湿度とともに表示させ、又は印刷して、降水量及び浸出水量の監視に役立てることができる。また、記憶内容に基づき、降水量に対する浸出水量の割合などを計算し、浸出水の漏洩の有無の定量的な判断や監視に役立てることができる。
【００３４】
また、浸出水管理部７は、刻々変化する降水量算出部１４、浸出水量算出部１５、貯留水量算出部１６、浸出水移送量算出部１７、及び処理水量算出部１８による算出結果、並びに温度計９、湿度計１０及び水深計１２による計測値を最終処分場において表示し又はその表示画像をネットワークを介して提供するデータ表示部２０を備える。
【００３５】
さらに、浸出水管理部７は、調整池３への浸出水の導入、調整池３から浸出水処理部５への浸出水の移送、及び浸出水処理部５からの処理済みの浸出水の排出が現在行われているかどうかを、最終処分場において表示し又はその表示画像をネットワークを介して提供する状況表示部２１と、データ表示部２０及び状況表示部２１による表示が行われるモニタ２２とを備える。
【００３６】
図３は、浸出水管理部７による管理処理を示すフローチャートである。この管理処理は一定時間毎に繰り返し行われる。処理を開始すると、浸出水管理部７は、ステップＳ１において、雨量計８の計測値を取得することにより、最終処分場の埋立地１における降水量を計測する（降水量計測工程）。
【００３７】
次に、ステップＳ２において、浸出水管理部７は、浸出水流量計１１の計測値を取得することにより、最終処分場の埋立地１から調整池３に導入される浸出水の流量を計測する（浸出水流量計測工程）。
【００３８】
次に、ステップＳ３において、処理水流量計１３の計測値を取得することにより、浸出水処理部５で処理された処理水の量を計測する。
【００３９】
次に、ステップＳ４において、所定の算出タイミングであるか否かを判定する。所定の算出タイミングとは、前回ステップＳ５〜Ｓ１０の処理を行ってから所定時間例えば１時間が経過したタイミングである。所定のタイミングではないと判定した場合には、ステップＳ１１へ進む。所定のタイミングであると判定した場合には、浸出水管理部７は、ステップＳ５〜Ｓ１０の処理を行う。
【００４０】
すなわち、ステップＳ５において、最終処分場の埋立地１における上記所定時間毎の降水量を算出する（降水量算出工程）。この算出は、直前の該所定時間の間にステップＳ１で取得した雨量計の計測値を、降水量算出部１４において加算することにより行われる。なお、雨量計８が、例えば１時間毎の降水量を出力する機能を有していれば、その出力を、そのまま上記所定時間毎の降水量の算出値として利用してもよい。
【００４１】
次に、ステップＳ６において、調整池３に導入された上記所定時間毎の浸出水量を算出する（浸出水量算出工程）。この算出は、直前の該所定時間の間にステップＳ２で取得した浸出水流量計１１の計測値を、浸出水量算出部１５において加算することにより行われる。なお、浸出水流量計１１が、例えば１時間毎の流量を出力する機能を有していれば、その出力を、そのまま上記所定時間毎の浸出水量の算出値として利用してもよい。
【００４２】
次に、ステップＳ７において、調整池３から調整槽４を経て浸出水処理部５に移送された浸出水の上記所定時間毎の移送量を算出する。この算出は、浸出水移送量算出部１７において、調整槽４から浸出水を移送する流調ポンプの単位時間当たりの移送量を、直前の該所定時間分積算することにより行われる。ただし、流調ポンプが可動していない期間があれば、その期間については、積算されない。
【００４３】
次に、ステップＳ８において、浸出水処理部５が排出する上記所定時間毎の処理水量を算出する。この算出は、直前の該所定時間の間にステップＳ２で取得した処理水流量計１３の計測値を、処理水量算出部１８において加算することにより行われる。なお、処理水流量計１３が、例えば１時間毎の流量を出力する機能を有していれば、その出力をそのまま利用してもよい。
【００４４】
次に、ステップＳ９において、ステップＳ５〜Ｓ８における算出結果を、算出時期（現在の時間）に対応付けて記憶する（記憶工程）。そして、ステップＳ１０において、ステップＳ５〜Ｓ８で算出された、降水量、浸出水量、浸出水移送量、及び処理水量を用いて、これらについてのモニタ２２における表示内容を更新する。この更新は、データ表示部２０により行われる。また、データ表示部２０は、モニタ２２における表示画像と同じ画像データを、インターネット等のネットワークを介して提供する。これにより、上記所定時間毎に行われるステップＳ５〜Ｓ１０の処理が完了する。
【００４５】
ステップＳ１１では、雨量計８、温度計９及び湿度計１０の計測値、及び調整池３の貯留水量の現在の値を現在の時刻とともに記憶し、かつこれらに値に関するモニタ２２上の表示を、その現在の値を用いて更新する。調整池３の貯留水量は、水深計１２の計測値に基づき、貯留水量算出部１６により算出される。
【００４６】
次に、ステップＳ１２において、浸出水流量計１１、調整槽４の流調ポンプ、及び処理水流量計１３が稼働中か否かを検出する。そして、ステップＳ１３において、状況表示部２１により、モニタ２２におけるこれらが稼働中か否かの表示を、得られた検出結果により更新する。
【００４７】
また、この検出結果に基づき、対応する浸出水の導入、浸出水の移送、又は処理水の排出が実施中か否かについてのモニタ２２上の表示を更新する。また、状況表示部２１は、モニタ２２上の表示画像と同じ表示データを、インターネット等のネットワークを介して提供する。これにより、図３の管理処理が終了する。
【００４８】
なお、浸出水の導入等を実施中か否かの表示は、実施中か否かの状態が直感的に把握できるものを採用するのが好ましい。例えば、浸出水の導入、浸出水の移送、又は処理水の排出の経路を関係する要素とともに表示し、導入等を実施中の経路及び停止中の経路をそれぞれ流体が流れているような表示及び静止しているような表示としたりするものを採用することができる。
【００４９】
本実施形態によれば、最終処分場の埋立地１における所定時間毎の降水量と、所定時間毎の浸出水量を算出し、算出時期に対応させて記憶部１９により記憶するようにしたので、過去の任意の時点における降水量に対する浸出水量の割合を知ることができる。この割合と、適切な浸出係数とを比較することにより、その時点での浸出水の漏洩の有無を定量的に判定することができる。かかる、判定結果を活用し、浸出水の漏洩のリスクを軽減させることができる。
【００５０】
また、浸出水管理システムの長期運用にわたって記憶し、蓄積された降水量と浸出水量に基づき、最終処分場の埋立地１に固有の正確な浸出係数を得ることができる。この浸出係数を用いることにより、浸出水の漏洩の有無についての定量的判断をより正確に行うことができる。したがって、浸出水の漏洩のリスクをさらに軽減することができる。
【００５１】
また、記憶部１９により記憶されている所定時間毎の浸出水量を積算することにより、浸出水処理設備の各部のメンテナンス時期や交換時期を正確に決定することができる。これにより、設備の信頼性を良好に維持し、さらに浸出水の漏洩リスクを軽減することができる。
【００５２】
また、浸出係数は、浸出水が調整池３に導入されるまでの蒸発量の多寡により、すなわち温度及び湿度に応じて変動する。この点、本実施形態では、各時点での温度及び湿度を記憶しているので、これを参照することにより、温度及び湿度に応じたより正確な浸出係数を得ることができる。これを用いて浸出水の漏洩の有無を定量的に監視することにより、浸出水の漏洩のリスクをさらに軽減することができる。
【００５３】
また、刻々変化する浸出水の発生量や、移送量、処理量、及び処理水量をモニタ２２上に又はネットワークを介して表示するようにしたので、これらの値を、リアルタイムで、遠隔からでも容易に監視することができる。したがって、突発的な集中豪雨等により浸出水処理設備等に異常が発生した場合等においては、直ちにこれを認識し、必要な処置を講ずることができる。これにより、浸出水の漏洩のリスクをより確実に軽減することができる。
【００５４】
また、調整池３への浸出水の導入、調整池３から浸出水処理部５への浸出水の移送、及び浸出水処理部５からの処理水の排出が行われているか否かをモニタ２２上に又はネットワークを介して表示するようにしたので、これらの導入、移送、排出に関する機能について浸出水処理設備の異常等により支障を来たした場合でも、直ちにこれを遠隔からでも認識し、必要な処置を講ずることができる。これにより、浸出水の漏洩のリスクをさらに確実に軽減することができる。
【００５５】
なお、本発明は上述の実施形態に限定されない。例えば、実施形態では降水量算出部１４及び記憶部１９により、所定時間毎の降水量を算出して記憶するようにしているが、この代わりに、所定時間毎の降水量を最終処分場の埋立地１全体の面積について積算した値を算出し、記憶するようにしてもよい。
【００５６】
また、集水枡２から調整池３への浸出水の導入経路や、浸出水処理部５とその両側の浸出水の移送路及び処理水の排出路を２系統設けて、システムの信頼性をより向上させるようにしてもよい。
【符号の説明】
【００５７】
１…最終処分場の埋立地、３…調整池、５…浸出水処理部、８…雨量計、１４…降水量算出部、１１…浸出水流量計、１５…浸出水量算出部、１９…記憶部、９…温度計、１０…湿度計、２０…データ表示部、２１…状況表示部。
【図１】
2014091085.tif 000003
【図２】
2014091085.tif 000004
【図３】
2014091085.tif 000005